(57)【要約】【課題】  木材保存剤を処理する場合、処理した事が容易に判別できるように、処理部を着色する乳剤組成物及び使用方法を提供する。【解決手段】  水溶解度が５０００ｐｐｍ以下であり融点が２５℃以上である木材防腐剤、防蟻剤等の木材薬品から選択される１種以上の有効成分、水溶性着色剤、多価アルコール及び／又はその誘導体、２５℃における水溶解度が４０％以下である非水溶性有機溶剤及び界面活性剤を含有する事を特徴とする木材保存用組成物【選択図】  なし【特許請求の範囲】
【請求項１】
水溶解度が５０００ｐｐｍ以下であり融点が２５℃以上である木材薬品から選択される１種又は２種以上の有効成分、水溶性着色剤、多価アルコール及び／又はその誘導体、２５℃における水溶解度が４０％以下である非水溶性有機溶剤及び界面活性剤を含有する事を特徴とする木材保存用組成物。
【請求項２】
木材薬品が木材防腐剤及び／又は防蟻剤である請求項１記載の木材保存用組成物。
【請求項３】
水により１０〜５０倍に希釈した時、希釈液中に着色剤を０．０５％〜０．５％含む請求項１又は２いずれか１項記載の木材保存用組成物。
【請求項４】
多価アルコール誘導体及び／又はその誘導体がジエチレングリコール、トリエチレングリコール、テトラエチレングリコール、ポリエチレングリコール（平均分子量２００〜６００）、ジエチレングリコール  モノメチルエーテル、トリエチレングリコール  モノメチルエーテル、テトラエチレングリコール  モノメチルエーテル、ポリエチレングリコール  モノメチルエーテル、ジプロピレングリコール又はトリプロピレングリコールから選ばれる１種又は２種以上である請求項１乃至３いずれか１項記載の木材保存用組成物。
【請求項５】
多価アルコール及び／又はその誘導体がエチレングリコール、プロピレングリコール又はグリセリンから選ばれた１種又は２種以上の多価アルコールである請求項１乃至３いずれか１項記載の木材保存用組成物。
【請求項６】
多価アルコール及び／又はその誘導体の添加量が１０〜６０％である請求項１乃至５いずれか１項記載の木材保存用組成物。
【請求項７】
木材薬品のうち１種がビフェントリン又はフィプロニルである請求項１乃至６いずれか１項記載の木材保存用組成物。
【請求項８】
請求項１乃至７いずれか１項記載の木材保存用組成物を水により１０〜５０倍に希釈して木材を処理することを特徴とする請求項１乃至７いずれか１項記載の木材保存用組成物の使用方法。
【発明の詳細な説明】
【技術分野】
【０００１】
本発明は木材保存剤のうち、木部処理用の乳剤に関するものである。
【背景技術】
【０００２】
日本では木造の家屋が依然として主流を占めており、その為木材がシロアリや腐朽の被害にさらされる場合が多い。これらの事を防止する為、あらかじめ木材保存剤で処理された木材を用いたり、あるいは新築時や築後に現場で木部に木材保存剤が処理される。また家の新築時に現場で木材保存剤を処理する場合、処理した事が容易に判別できるように、処理部を着色する事が望まれる。有効成分である防蟻剤や木材防腐剤を高沸点の有機溶剤に溶解させたいわゆる油剤においては、油溶性の着色剤を内添した、着色油剤が用いられている。この場合、油剤は希釈せずに使用する為、着色剤濃度は着色剤にも因るが０．１〜０．５％程度配合すればよい。
【０００３】
現場で用いられる木材保存剤としては上記油剤が主流を占めてきたが、昨今揮発性有機化合物（ＶＯＣ）の問題等から水で希釈して使用する乳剤タイプのものも使用されるようになってきた。乳剤については、着色剤を乳剤に添加できるとの記載がある（例えば、特許文献１乃至６参照。）が、何れも目的を明記しておらず、また添加量やそれにふさわしい処方などの具体的な記載もない。おそらくこれらは希釈液に色を付けて、希釈液自体の色による識別を可能にする為のものと思われ、そのものを木材に処理した場合に塗布した事、即ち処理部位が判別できる、いわゆる着色乳剤については知られていない。
【０００４】
【特許文献１】特開平１−２８７００５号公報。
【特許文献２】特開平６−１９２０１３号公報。
【特許文献３】特開平８−５０９９８６号公報。
【０００５】
【特許文献４】特開平１１−２１７３１０号公報。
【特許文献５】特開２００１−１５８００８号公報。
【特許文献６】特開２００２−５０１０３４号公報。
【発明の開示】
【発明が解決しようとする課題】
【０００６】
着色乳剤が知られていない理由としては、次の事が挙げられる。
乳剤の場合は水で希釈して用いる為、例えば１０倍希釈で用いる場合、着色剤の濃度を０．５％以上と高くしておく必要があるが、水溶性の着色剤は基本基剤である有機溶剤に対する溶解性は一般に乏しく、希釈後に木材へ処理した時に木材を着色させる量まで添加する事は非常に困難である。
【０００７】
また着色剤の溶解性に主眼をおくと水や水溶性溶剤を多量に使用する必要があり、水に溶けにくい固体の木材防腐剤や防蟻剤を含む場合には、水が大量に存在すると均一な乳剤組成物を得る事が困難で、仮に均一な乳剤組成ができたとしても、水で希釈すると水に溶けにくい木材防腐剤や防蟻剤が結晶として析出してしまい、防腐効果や防蟻効果が劣るのみではなく、散布時にストレーナーを目詰まりさせる等の不具合を生じさせてしまう。
また希釈倍数を１０倍未満と小さくする事で着色剤濃度を低くする事ができるが、１０倍未満の希釈倍数で有れば輸送・保管・処理時の容量が大きくなり、また使用する有機溶剤の量も増える事から、乳剤にしたメリットが損なわれる。
【課題を解決するための手段】
【０００８】
本発明者らは鋭意研究を重ねた結果、水溶性の着色剤と多価アルコールと非水溶性溶剤を併用することにより、１０倍以上に希釈して木材へ塗布した時でも塗布部分が十分判別できる量の着色剤を配合でき、且つ、木材防腐剤や防蟻剤が結晶として析出せず、防腐効果や防蟻効果に優れる乳剤組成物を見いだし、本発明を完成させるに至った。
【０００９】
即ち、本発明は水溶解度が５０００ｐｐｍ以下であり融点が２５℃以上である木材防腐剤、防蟻剤等の木材薬品から選択される１種又は２種以上の有効成分、水溶性着色剤、多価アルコール、２５℃における水溶解度が４０％以下である非水溶性有機溶剤及び界面活性剤を含有する事を特徴とする木材保存用組成物及びその使用方法に関する。
【発明の効果】
【００１０】
本発明の木材保存剤組成物は防腐効果や防蟻効果を損なうことなく、塗布、吹き付け、あるいは浸漬した場合に薬剤の付着場所が十分確認できるだけの量の水溶性着色剤を配合させる事が可能になり木材保存剤処理作業が向上する。
【発明を実施するための最良の形態】
【００１１】
木材薬品としては、木材防腐剤及び防蟻剤である有効成分を用いることができる。
本発明に使用する木材防腐剤としては、３−ヨードプロピニル  ブチルカーバメート（ＩＰＢＣ）、テブコナゾール、シプロコナゾール、ラノコナゾール、アザコナゾール、プロピコナゾール、フルトラニル等を例示する事ができるが、これらに限定されるものではない。これらは単独でも２種以上を併用することもできる。
本発明に使用する防蟻剤としては、ビフェントリン、シラフルオフェン、ペルメトリン、フィプロニル、クロルフェナピル、イミダクロプリド、クロチアニジン等を例示する事ができるが、これらに限定されるものではない。これらは単独でも２種以上を併用することもできる。これらの、木材防腐剤及び防蟻剤を含めた有効成分としての木材薬品のうち、水溶解度が５０００ｐｐｍ以下、融点が２５℃以上のものについて、特に本願の木材保存用組成物の適用が適している。
【００１２】
本発明組成物における木材防腐剤の配合割合は本発明組成物を水で希釈して使用するときの希釈倍数に依存し、希釈したときの濃度で十分な防腐効果を示すものであればよい。その防腐効果を確認する手法として、木材保存協会規格第１号を挙げる事ができる。
本発明組成物における防蟻剤の配合割合は本発明組成物を水で希釈して使用するときの希釈倍数に依存し、希釈したときの濃度で十分な防蟻効果を示すものであればよい。その防蟻効果を確認する手法として、木材保存協会規格第１１号を挙げる事ができる。
【００１３】
水溶性着色剤とは、一般に水溶液として使用される着色剤を指し、本発明に使用できる着色剤としては、アマランス（赤色２号）、エリスロシン（食用３号）、ニューコクシン（赤色１０２号）、フロキシンＢ（赤色１０４号）、ローズベンガル（赤色１０５号）、アシッドレッド（赤色１０６号）、タートラジン（黄色４号）、サンセットエローＦＣＦ（黄色５号）、ファストグリーンＦＣＦ（緑色３号）、ブリリアントブルーＦＣＦ（青色１号）、インジゴカーミン（青色２号）、アルラレッドＡＣ（赤色４０号）、リソールルビンＢ（赤色２０１号）、エオシンＹＳ（赤色２３０−１号）、エオシンＹＳＫ（赤色２３０−２号）、フロキシンＢＫ（赤色２３１号）、ローズベンガルＫ（赤色２３２号）、オレンジII（β−ナフトールオレンジ）、エリスロシン黄ＮＡ、ウラニン（フルオレセインナトリウム）、ウラニンＫ、キノリンエローＷＳ（黄色２０３号）、アリザリンシヤニングリンＦ、パテントブルーＮＡ（青色２０２号）、レゾルシンブラウン（褐色２０１号）、ビオラミンＲ（赤色４０１号）、ファストレッドＳ（赤色５０６号）、オレンジＩ、ポーラエロー５Ｇ（黄色４０２号）、メタニールエロー、ギネアグリーン（緑色４０２号）、アリスローズパープル等を例示する事ができるが、これらの種類や色に限定されるものではない。これらは単独でも２種以上を併用することもできる。
【００１４】
本発明組成物における水溶性着色剤の配合割合は、本発明組成物を水で希釈して使用するときの希釈倍数に依存し、希釈したときの濃度として０．０５〜０．５％が好ましく、０．１〜０．３％がさらに好ましい。この事から希釈倍数が１０倍の時には、本発明組成物における水溶性着色剤の配合割合は０．５〜５％が好ましく、１〜３％がさらに好ましい。希釈倍数が２０倍の時には、本発明組成物における水溶性着色剤の配合割合は１〜１０％が好ましく、２〜６％がさらに好ましい。希釈倍数が３０倍の時には、本発明組成物における水溶性着色剤の配合割合は１．５〜１５％が好ましく、３〜９％がさらに好ましい。希釈倍数が５０倍の時には、本発明組成物における水溶性着色剤の配合割合は２．５〜２５％が好ましく、５〜１５％がさらに好ましい。
【００１５】
本発明に使用する多価アルコール及び／又はその誘導体としては、エチレングリコール、プロピレングリコール、グリセリン、ジエチレングリコール、トリエチレングリコール、テトラエチレングリコール、ポリエチレングリコール（平均分子量２００〜６００）等のエチレングリコールの縮合物、ジエチレングリコール  モノメチルエーテル、トリエチレングリコール  モノメチルエーテル、テトラエチレングリコール  モノメチルエーテル、ポリエチレングリコール  モノメチルエーテル等のエチレングリコール縮合物のモノアルキルエーテル、ジプロピレングリコール、トリプロピレングリコール等のプロピレングリコール縮合物、等を例示する事ができる。これらは単独でも２種以上を併用することもできる。好ましくは、エチレングリコール、プロピレングリコール又はグリセリンから選択される１種又は２種以上の多価アルコールである。
本発明組成物における多価アルコールの配合割合は、１０〜６０％が好ましく、２０〜５０％がさらに好ましい。
水溶解度が２５℃で４０％以下である非水溶性有機溶剤としては、キシレン、メチルナフタレン、ジイソプロピルナフタレン等の芳香族系溶剤、ノルマルパラフィン、イソパラフィン、シクロパラフィン等の脂肪族炭化水素、エチレングリコール  モノヘキシルエーテル、エチレングリコール  モノ（２−エチルヘキシル）エーテル、エチレングリコール  モノフェニルエーテル、エチレングリコール  モノベンジルエーテル等のセロソルブ類、ジエチレングリコール  モノヘキシルエーテル、ジエチレングリコール  モノ（２−エチルヘキシル）エーテル等のカルビトール類、ジプロピレングリコール  モノブチルエーテル、ジプロピレングリコール  モノプロピルエーテル、ジプロピレングリコール  モノブチルエーテル、プロピレングリコール  モノフェニルエーテル、ジエチレングリコール
ジブチルエーテル、ジプロピレングリコール  ジメチルエーテル等のグリコールエーテル系溶剤、Ｎ−オクチル−２−ピロリドン、ベンジルエーテル、アジピン酸ジブチルやフタル酸ジエチル等の有機酸エステル類等を例示する事ができるが、これらに限定されるものではない。これらは単独でも２種以上を併用することもできる。
【００１６】
本発明組成物における水溶解度が２５℃で４０％以下である非水溶性有機溶剤の種類や配合割合は本発明組成物に使用する木材防腐剤や防蟻剤の種類に依存し、低温時や水で希釈したときに結晶が析出しない種類や配合割合を任意に選んで良いが、配合割合については５〜７０％が好ましく、１０〜６０％が更に好ましい。
【００１７】
また組成中に他の溶剤を配合する事も可能であり、具体的にはエチレングリコール  モノメチルエーテル、エチレングリコール  モノエチルエーテル等のセロソルブ類、ジエチレングリコール  モノエチルエーテル、ジエチレングリコール  モノイソプロピルエーテル、ジエチレングリコール  モノブチルエーテル等のカルビトール類、プロピレングリコール  モノエチルエーテル、プロピレングリコール  モノプロピルエーテル等のグリコールエーテル系溶剤、Ｎ−メチル−２−ピロリドン等を例示する事ができるが、これらに限定されるものではない。これらは単独でも２種以上を併用することもできる。
【００１８】
本発明組成物に使用される界面活性剤としては一般に使用されるものであればよく、例えばポリオキシエチレンアルキルエーテル、ポリオオキシエチレンポリスチリルフェニルエーテル、ポリオキシエチレンアルキルフェニルエーテル、ポリオキシエチレン及びポリプロピレングリコールブロックポリマー等のノニオン系界面活性剤、ポリオキシエチレンアルキルフェニルエーテルサルフェート、ポリオキシエチレンアルキルフェニルエーテルホスフェート、ポリオキシエチレンポリスチリルフェニルエーテルサルフェート、ポリオキシエチレンポリスチリルフェニルエーテルホスフェート、ナフタレンスルホン酸のホルマリン縮合物、アルキルナフタレンスルホン酸のホルマリン縮合物、リグニンスルホネート、ジオクチルスルホサクシネート等のアニオン系界面活性剤等が挙げられる。これらは単独でも２種以上を併用することもできる。
界面活性剤は特に限定されるものではなく、他成分の種類や配合割合に応じて水で希釈したときに非水溶性成分が安定なエマルションを形成できるよう、種類や配合割合を任意に調整すればよいが、配合割合については５〜４０％が好ましく、１０〜３０％が更に好ましい。
また本発明組成物中に脱水剤、酸化防止剤、紫外線吸収剤、固着剤等を必要に応じてあらかじめ添加する事もできる。
【００１９】
本発明組成物の使用方法としては、本発明組成物を処方に応じ水により１０〜５０倍に希釈し、それを木材に塗布あるいは吹きつけて使用する事ができる。また本発明組成物を処方に応じ水により１０〜５０倍に希釈し、そこへ木材を浸漬して使用方法することもできる。希釈倍数は防腐効果や防蟻効果の面から木材防腐剤や防蟻剤の配合割合により、１０倍から５０倍の間で任意に決定する事ができる。
【実施例】
【００２０】
以下に実施例につき具体的に示すが、本発明は以下の例に限定されるものではない。
実施例１．
ビフェントリン                                      １．０重量部
シプロコナゾール                                    ２．０重量部
オレンジII                                          ３．０重量部
プロピレングリコール                              １５．０重量部
ジエチレングリコール モノブチルエーテル           １７．５重量部
ジイソプロピルナフタレン                          ４６．５重量部
ソルポール３８８０Ｌ                              １５．０重量部
以上を混合・加熱（５０℃）・攪拌して乳剤を製造した。
実施例２．
フィプロニル                                        ０．６重量部
シプロコナゾール                                    ２．０重量部
ＩＰＢＣ                                            ２．０重量部
オレンジII（β−ナフトールオレンジ）                ３．０重量部
プロピレングリコール                              １５．０重量部
ジエチレングリコール モノブチルエーテル           １５．０重量部
ジイソプロピルナフタレン                          ４７．４重量部
ソルポール３８８０Ｌ（東邦化学工業社製）          １５．０重量部
以上を混合・加熱（５０℃）・攪拌して乳剤を製造した。
【００２１】
実施例３．
ビフェントリン                                      １．０重量部
シプロコナゾール                                    ２．０重量部
アシドレッド（赤色１０６号）                        ３．０重量部
ポリエチレングリコール モノメチルエーテル
（ハイモールPM／東邦化学工業社製）              ４５．０重量部
ジイソプロピルナフタレン                          ３９．０重量部
ソルポール３８８０Ｌ                              １０．０重量部
以上を混合・加熱（５０℃）・攪拌して乳剤を製造した。
実施例４．
ビフェントリン                                      １．５重量部
シプロコナゾール                                    ３．０重量部
ブリリアントブルーFCF（青色１号）                   ３．０重量部
ジエチレングリコール                              ２９．５重量部
ジエチレングリコール モノブチルエーテル           ２９．０重量部
ジエチレングリコール ジブチルエーテル             １４．０重量部
ポリオキシエチレン  ひまし油エーテル              ２０．０重量部
以上を混合・加熱（５０℃）・攪拌して乳剤を製造した。
【００２２】
実施例５．
ビフェントリン                                      １．０重量部
シプロコナゾール                                    ２．０重量部
Water Green 1（オリエント化学工業製）               ２．０重量部
ポリエチレングリコール モノメチルエーテル
（ハイモールPM／東邦化学工業社製）              ５０．０重量部
ジイソプロピルナフタレン                          ３５．０重量部
ソルポール３８８０Ｌ                              １０．０重量部
以上を混合・加熱（５０℃）・攪拌して乳剤を製造した。
【００２３】
比較例１．
ビフェントリン                                      １．０重量部
シプロコナゾール                                    ２．０重量部
オレンジII                                          ３．０重量部
ジエチレングリコール モノブチルエーテル           ３２．５重量部
ジイソプロピルナフタレン                          ４６．５重量部
ソルポール３８８０Ｌ                              １５．０重量部
以上を混合・加熱（５０℃）・攪拌して乳剤を製造した。
比較例２．
ビフェントリン                                      １．０重量部
シプロコナゾール                                    ２．０重量部
オレンジII                                          ３．０重量部
ジイソプロピルナフタレン                          ７９．０重量部
ソルポール３８８０Ｌ                              １５．０重量部
以上を混合・加熱（５０℃）・攪拌して乳剤を製造した。
【００２４】
比較例３．
ビフェントリン                                      １．０重量部
シプロコナゾール                                    ２．０重量部
アシドレッド（赤色１０６号）                        ３．０重量部
ジイソプロピルナフタレン                          ８４．０重量部
ソルポール３８８０Ｌ                              １０．０重量部
以上を混合・加熱（５０℃）・攪拌して乳剤を製造した。
比較例４．
ビフェントリン                                      １．５重量部
シプロコナゾール                                    ３．０重量部
ブリリアントブルーFCF（青色１号）                   ３．０重量部
ジエチレングリコール モノブチルエーテル           ５８．５重量部
ジエチレングリコール ジブチルエーテル             １４．０重量部
ポリオキシエチレン  ひまし油エーテル              ２０．０重量部
以上を混合・加熱（５０℃）・攪拌して乳剤を製造した。
【００２５】
比較例５．
ビフェントリン                                      １．０重量部
シプロコナゾール                                    ２．０重量部
Water Green 1（オリエント化学工業製）               ２．０重量部
ジイソプロピルナフタレン                          ８５．０重量部
ソルポール３８８０Ｌ                              １０．０重量部
以上を混合・加熱（５０℃）・攪拌して乳剤を製造した。
比較例６．
ビフェントリン                                      １．０重量部
シプロコナゾール                                    ２．０重量部
オレンジII                                          ３．０重量部
ジイソプロピルナフタレン                          ７９．０重量部
ソルポール３８８０Ｌ                              １５．０重量部
以上を混合・加熱（５０℃）・攪拌して乳剤を製造した。
【００２６】
以下の組成にて、同様に乳剤を製造した。
【表１】
2005035288.tif 000002
【００２７】
試験例１．
実施例、比較例の組成物を室温に一日放置し、状態を観察した。
状態
実施例１    均一澄明
実施例２    均一澄明
実施例３    均一澄明
実施例４    ほぼ均一澄明
実施例５    ほぼ均一澄明
比較例１    着色剤（不溶解分）多量沈降
比較例２    着色剤（不溶解分）多量沈降
比較例３    着色剤ほとんど溶けず
比較例４    着色剤（不溶解分）若干沈降
比較例５    着色剤ほとんど溶けず
比較例６    着色剤ほとんど溶けず
比較例７    着色剤（不溶解分）沈降
比較例８    着色剤（不溶解分）若干沈降
比較例９    着色剤（不溶解分）若干沈降
比較例１０  着色剤（不溶解分）若干沈降
比較例１１  ほぼ均一澄明
本発明の組成物は対応する比較例と比較して、水溶性着色剤を高い配合割合で溶解させることがわかる。
【００２８】
試験例２．
実施例、比較例で製造した乳剤を、必要に応じて濾過により不溶解物を取り除き、水で所定量に希釈し、木材に塗布（１００ｇ／ｍ2）した場合の、木材の着色の程度を観察した（木材：杉心材）。
希釈倍数                    状態
実施例１    ２０倍      明らかに着色し、塗布した事が容易にわかる
実施例２    ２０倍      明らかに着色し、塗布した事が容易にわかる
実施例３    ２０倍      明らかに着色し、塗布した事が容易にわかる
実施例４    ３０倍      明らかに着色し、塗布した事が容易にわかる
実施例５    ２０倍      明らかに着色し、塗布した事が容易にわかる
比較例４    ３０倍      塗布した事がわかりにくい
比較例５    ２０倍      塗布した事がわかりにくい
比較例６    ２０倍      塗布した事がわかりにくい
比較例７    ２０倍      塗布した事がわかりにくい
比較例８    ３０倍      塗布した事がわかりにくい
比較例９    ２０倍      塗布した事がわかりにくい
比較例１０  ２０倍      塗布した事がわかりにくい
比較例１１  ２０倍      塗布した事がわかりにくい
本発明の組成物は対応する比較例と比較して、希釈液を木材に処理したときの着色性が鮮明であることがわかる。
【００２９】
試験例４．
実施例の組成物を水で所定量に希釈し、木材保存協会規格第１１号（室内試験）による防蟻効力試験に供試した。
希釈倍数          重量減少率（％）        判定
実施例１    ２０倍              １．５％              合格
実施例２    ２０倍              ２．１％              合格
いずれの試験おいても実施例１及び実施例２の組成物は、優れた効果を示し、実用性があるものと認められた。